(57)【要約】【課題】測定中の信号の種類や、その送信元の人工衛星を識別可能な信号レベル測定装置を提供する。【解決手段】チューナユニット１４は、電源分離フィルタ１２にて分離されたＲＦ信号の中から操作部１５にて指定された衛星，チャンネル（トランスポンダ）の信号を、ＰＬＬデータＤｐに基づいて選局後復調し、その信号レベルを測定すると共に、復調した信号を更にシンボルレートＤｂ等を用いて復号化することでデジタルデータを得る。このデジタルデータから、ＴＳパケットの同期バイトを検出し、同期バイトが検出され続けている間は、所定の判別信号をオンする。この判別信号に基づき、表示部１６では、指定された衛星からデジタル放送用の信号を受信しているか否かを示す識別マークを点灯する。【選択図】図１
2004007074.tif 000002
【特許請求の範囲】
【請求項１】
入力信号の信号レベルを測定する信号レベル測定装置において、
デジタル放送を行う人工衛星のいずれかを指定する衛星指定手段と、
該衛星指定手段にて指定された人工衛星が提供するチャンネルのいずれかを指定するチャンネル指定手段と、
前記入力信号を、前記衛星指定手段及び前記チャンネル指定手段にて指定された人工衛星のチャンネルからの受信信号であるものとして復調，復号化し、デジタルデータを抽出するデジタルデータ抽出手段と、
該デジタルデータ抽出手段がデジタルデータの抽出に成功した場合に、前記入力信号が前記衛星指定手段にて指定された人工衛星からの受信信号であることを報知する報知手段と、
を備えることを特徴とする信号レベル測定装置。
【請求項２】
前記デジタルデータ抽出手段が抽出するデジタルデータは、ＴＳパケットであり、該ＴＳパケットに含まれる予め指定された特定情報が認識されたか否かにより、前記デジタルデータ抽出の成否を判定することを特徴とする請求項１記載の信号レベル測定装置。
【請求項３】
前記特定情報は同期バイトであることを特徴とする請求項２記載の信号レベル測定装置。
【請求項４】
前記チャンネル指定手段は、外部操作に従って前記チャンネルを指定することを特徴とする請求項１乃至請求項３いずれか記載の信号レベル測定装置。
【請求項５】
少なくとも前記デジタルデータ抽出手段がデジタルデータの抽出に成功するまでの間、前記チャンネル指定手段が指定するチャンネルを順次切り替えるチャンネルサーチ手段を設けたことを特徴とする請求項１乃至請求項４いずれか記載の信号レベル測定装置。
【請求項６】
前記衛星指定手段は、外部操作に従って人工衛星を指定することを特徴とする請求項１乃至請求項５いずれか記載の信号レベル測定装置。
【請求項７】
前記衛星指定手段が指定する人工衛星を順次切り替える衛星サーチ手段を設けたことを特徴とする請求項１乃至請求項６いずれか記載の信号レベル測定装置。
【発明の詳細な説明】
【０００１】
【発明の属する技術分野】
本発明は、入力信号の信号レベルを測定する信号レベル測定装置に関する。
【０００２】
【従来の技術】
従来より、人工衛星からの送信電波を受信する受信アンテナの向き（方位角，仰角）や、送信電波として直線偏波が用いられている場合にその偏波面等を調整する際にレベルチェッカーが使用されている。
【０００３】
このレベルチェッカーは、通常、受信アンテナからの受信信号を伝送する伝送線に接続して使用され、対象となる人工衛星が提供するいずれかのチャンネル（トランスポンダ）を指定すると、その指定したチャンネルについて受信信号の信号レベルを測定し、その測定結果を数値やバーグラフ等を用いて表示するように構成されている。
【０００４】
【発明が解決しようとする課題】
ところで、受信アンテナが人工衛星からの送信電波を受信している場合、その受信信号の信号レベルは７０〜８０ｄＢμ程度であり、また、受信アンテナが人工衛星からの送信電波を受信していない場合でも、受信信号の信号レベルは６０ｄＢμ程度となる場合がある。特に、アンテナの後段にブースターが設置されていると、このブースターを介して供給される受信信号の信号レベルは、送信電波を受信していなくても７０ｄＢμを越える場合がある。
【０００５】
つまり、上述のレベルチェッカーを用いて、測定される信号レベルが７０〜８０ｄＢμであっても、人工衛星からの送信電波を必ずしも受信しているとは限らない。また、上述のレベルチェッカーでは、指定したチャンネルと同一周波数を使用する人工衛星からの送信電波を全て受信してしまうため、受信アンテナが人工衛星からの送信電波を受信していたとしても、その送信電波が必ずしも所望の人工衛星からのものであるとは限らないのである。
【０００６】
このため、受信アンテナの向きの調整を確実に行おうとすると、実際に番組視聴用のチューナを接続し、受信信号を再生して確認しなければならず、手間を要するという問題があった。
また、レベルチェッカーは、例えば、既存のＴＶ設備の屋内テレビ端子等に、所望周波数帯（例えばデジタル放送）の信号が配信されているか否かを確認する場合等にも使用可能である。しかし、上述のレベルチェッカーでは、指定された周波数帯に信号があるか否かを確認することは可能であるが、その信号がアナログ放送用の信号であるか、デジタル放送用の信号であるかを識別することができないという問題もあった。
【０００７】
本発明は、上記問題点を解決するために、測定中の信号の種類や、その送信元の人工衛星を識別可能な信号レベル測定装置を提供することを目的とする。
【０００８】
【課題を解決するための手段】
上記目的を達成するための発明である請求項１記載の信号レベル測定装置では、衛星指定手段が、デジタル放送を行う人工衛星のいずれかを指定し、チャンネル指定手段が、その指定された人工衛星が提供するチャンネル（ここでは、トランスポンダ毎の信号をチャンネルという）のいずれかを指定すると、デジタルデータ抽出手段が、入力信号を、衛星指定手段及びチャンネル指定手段にて指定された人工衛星のチャンネルからの受信信号であるものとして復調，復号化し、デジタルデータを抽出する。
【０００９】
なお、人工衛星によって復調や復号化に必要なパラメータ（チャンネルの数、各チャンネルに割り当てられた周波数、シンボルレート等）がそれぞれ異なっているため、デジタルデータ抽出手段では、指定された人工衛星のチャンネルに応じて、これらのパラメータを適宜設定する。
【００１０】
そして、デジタルデータ抽出手段がデジタルデータの抽出に成功した場合には、報知手段が、その入力信号が衛星指定手段にて指定された人工衛星からの受信信号であることを報知する。
このように、本発明の信号レベル測定装置によれば、信号レベルを測定するだけでなく、信号の復調，復号化を行ってその信号の内容の確認まで行っているため、測定された信号レベルが、所望の放送用の信号のものであるか否かを確実に識別することができる。
【００１１】
従って、例えば、デジタル放送を行う人工衛星からの送信電波を受信するように受信アンテナの向きを調整する際に、番組視聴用のチューナーを使用しなくても、ノイズレベルのピークが得られる方向や、所望以外の人工衛星の方向に、誤って調整してしまうことを確実に防止できる。
【００１２】
また、本発明の信号レベル測定装置は、既存のＴＶ施設などにおいて、屋内のアンテナ端子等にデジタル放送用の信号が配信されているか否かを確認する際にも、好適に用いることができる。
なお、報知手段は、ディスプレイ等の表示機器を介して視覚的に報知してもよいし、スピーカ等の音響機器を介して聴覚的に報知してもよい。また、報知手段では、報知用の信号の生成のみを行い、その信号を当該装置とは別に設けられた外部機器に供給し、その外部機器を介して報知を行うように構成してもよい。
【００１３】
ところで、衛星デジタル放送用の信号はＭＰＥＧ２方式が適用されており、この場合、受信信号を復調，復号化するとＴＳパケットが得られる。これに対応するためには、請求項２記載のように、デジタルデータ抽出手段はデジタルデータとしてＴＳパケットを抽出し、このＴＳパケットに含まれる予め指定された特定情報が認識されたか否かにより、デジタルデータ抽出の成否を判定するように構成することが望ましい。
【００１４】
そして、ＴＳパケットに含まれる特定情報としては、請求項３記載のように、同期バイト（４７Ｈ）を用いることができる。
但し、特定情報は、同期バイトに限るものではなく、例えば、同期バイトと同様に全てのＴＳパケットに共通な情報や、送信元の人工衛星の識別を可能とする情報がＴＳパケット内に含まれていれば、これらの情報を特定情報として用いてもよい。
【００１５】
次に、チャンネル指定手段は、例えば請求項４記載のように、外部操作、即ち当該装置の使用者が行う操作に従ってチャンネルを指定するように構成することができる。この場合、信号レベルを測定するチャンネルを、当該装置の使用者が任意に設定することができる。
【００１６】
ところで、受信アンテナの向きを調整する際に、人工衛星が確実に送信電波を送出しているチャンネルを知っていれば、そのチャンネルを指定して調整を行えばよい。しかし、通信衛星など、利用者が必要な時間しか電波が送信されていないチャンネルもあり、指定したチャンネルが送信電波を送出しているか否かが定かではない場合がある。この場合、人工衛星からの送信電波を受信できなかった時に、受信できない理由が、受信アンテナの向きが悪いのか、指定したチャンネルが停波しているのかを直ちには確認できない。これを確認しようとすると、受信アンテナの向きを固定して、全てのチャンネルを一つ一つ指定して信号レベルの測定を行わなければならず大変な手間を要してしまうという問題がある。
【００１７】
そこで、請求項５記載のように、少なくともデジタルデータ抽出手段がデジタルデータの抽出に成功するまでの間、チャンネル指定手段が指定するチャンネルを順次切り替えるチャンネルサーチ手段を設け、送信電波を送出しているチャンネルが自動的にサーチされるように構成してもよい。
【００１８】
この場合、どのチャンネルが送信電波を送出しているかを予め認識していなくても、受信アンテナの向きを確実かつ短時間で調整することができる。
次に、衛星指定手段は、請求項６記載のように、外部操作に従って人工衛星を指定するように構成してもよいし、請求項７記載のように、衛星指定手段が指定する人工衛星を順次切り替える衛星サーチ手段を設け、全ての人工衛星が自動的にサーチされるように構成してもよい。
【００１９】
特に衛星サーチ手段を設けた請求項７記載の信号レベル測定装置では、例えば、既存ＴＶ設備における屋内テレビ端子等に、所望のデジタル放送用の信号が配信されているか否かを確認する際に、煩わしい選局（人工衛星やチャンネルの指定）操作を行うことなく簡単に確認することができ、しかも、報知手段での報知内容から、どの人工衛星からの信号が配信されているかを直ちに特定することができる。
【００２０】
【発明の実施の形態】
以下に本発明の実施形態を図面と共に説明する。
図１は、本実施形態の信号レベル測定装置（レベルチェッカー）１０の全体構成を示すブロック図である。
【００２１】
なお、本実施形態のレベルチェッカー１０は、受信アンテナの向きを調整する際に設定する調整モード、及び屋内アンテナ端子等への衛星デジタル放送信号の供給状態を確認する際に設定する確認モードという二つの動作モードにて動作し、デジタル放送用のチャンネル（トランスポンダ）単位で、その受信信号の信号レベル等を表示するものである。
【００２２】
また、衛星デジタル放送用のチャンネルにて伝送される信号には、ＭＰＥＧ２方式が適用されており、ＴＳ（トランスポート・ストリーム）パケットと呼ばれる２０４バイト長のパケットが使用される。このＴＳパケットは、その先頭に同期バイト（４７Ｈ）が含まれており、この同期バイトを含むＴＳパケットの全体が、畳み込み符号，リード・ソロモン符号によって符号化され、更にＰＳＫ変調が施された状態で、各衛星から送出される。
【００２３】
また、図１に示すように、本実施形態では、受信アンテナ２としてオフセット型のパラボラアンテナが用いられており、この受信アンテナ２は、周知のように、反射鏡２ａと、支持腕を介して反射鏡２ａの焦点位置に配置されたコンバータ２ｂとからなる。
【００２４】
但し、コンバータ２ｂは、受信信号を送出する伝送線Ｌを介して供給される電圧信号の直流成分を電源として動作するように構成されている。そして、コンバータ２ｂは、反射鏡２ａにより集波された電波を受信し、その受信信号を所定周波数（本実施形態では１０．６７８［ＧＨｚ］）のローカル信号を用いて中間周波信号（ＲＦ信号：ＢＳアンテナでは１０３２〜１３３６［ＭＨｚ］，ＣＳアンテナでは１５９０〜２０７１［ＭＨｚ］）に変換して伝送線Ｌに送出する。
【００２５】
特に、受信アンテナ２がＣＳアンテナである場合のコンバータ２ｂは、直流成分にトーン信号（３２〜５３［ｋＨｚ］）が重畳されていればＪＣＳＡＴ４号からの偏波信号、トーン信号が重畳されていなければＪＣＳＡＴ３号からの偏波信号を選択し、更に、選択された衛星からの偏波信号のうち、直流成分の電圧（給電電圧）が所定の低電圧（本実施形態では１１Ｖ）であれば垂直偏波信号、所定の高電圧（本実施形態では１５Ｖ）であれば水平偏波信号を選択して、その選択した垂直又は水平偏波信号を周波数変換したＲＦ信号を出力するように構成されている。
【００２６】
このような、コンバータ２ｂは、ＢＳアンテナ用，ＣＳアンテナ用のいずれも周知のものであるため、その構成の詳細については説明を省略する。
次に、本実施形態のレベルチェッカー１０は、端子１１を介して伝送線Ｌにコンバータ２ｂの電源となる直流成分を供給すると共に、伝送線Ｌを介して入力されるコンバータ２ｂからの受信信号（ＲＦ信号）を直流成分から分離する電源分離フィルタ１２と、コンバータ２ｂへ供給する直流成分の生成や、測定対象としてＣＳアンテナが指定されている場合に、衛星選択信号Ｓｓに従って直流成分の電圧（給電電圧）の切替や、偏波選択信号Ｓｍに従ってトーン信号の重畳を行う電源供給部１３とを備えている。
【００２７】
また、レベルチェッカー１０は、電源分離フィルタ１２にて分離されたＲＦ信号の中から指定されたチャンネルの信号を、後述するＰＬＬデータＤｐに基づいて選局した後復調し、その信号レベルを測定すると共に、復調した信号を更に後述するシンボルレートＤｂ等を用いて復号化してＴＳパケットを得る等の処理を実行するチューナユニット１４と、受信レベルの測定対象となる衛星やチャンネル（トランスポンダ）等を指定するための操作部１５と、液晶表示パネル等からなる表示部１６と、ＣＰＵ，ＲＯＭ，ＲＡＭを中心に構成された周知のマイクロコンピュータからなり、操作部１５での操作に従って、電源供給部１３に対する衛星選択信号Ｓｓ，偏波選択信号Ｓｍや、チューナユニット１４に対するＰＬＬデータＤｐ，シンボルレートＤｂを設定すると共に、チューナユニット１４から読み込んだ信号レベルや判別信号に基づいて、各種表示を表示部１６に行わせることで、受信アンテナ２を調整する際の調整モード処理、屋内アンテナ端子等に供給されている信号を確認する際の確認モード処理等を実行する制御部１７とを備えている。
【００２８】
そして、チューナユニット１４は、ＰＬＬデータＤｐが示す周波数を中心周波数とするチャンネルの信号をダイレクト復調すると共に、復調した信号を更に復号化することで得られるデジタルデータから、ＴＳパケットの同期バイトを検出し、同期バイトが検出され続けている間は、所定の判別信号をオンするように構成されている。なお、このようなチューナユニット１４は、例えば、デジタルＤＢＳフロントエンド（シャープ製，型名：ＢＳ２Ｆ７ＶＺ０４３０）やチャネルデコーダ（ＮＥＣ製，型名：μＰＤ６１５２１）等を用いて簡単に構成することができる。
【００２９】
また、表示部１６は、調整モードの際に、操作部１５での操作により指定された衛星，チャンネルや、その指定されたチャンネルの信号レベル、指定された衛星からデジタル放送用の信号を受信しているか否かを示す識別マーク等を表示し、特に測定対象としてＪＣＳＡＴ３，４号が指定されている場合には、その両者の信号レベルを同時に表示できるように構成されている。また、表示部１６は、確認モードの際に、当該装置にて指定可能な全ての衛星名と、その衛星からの信号の有無を表示するように構成されている。
【００３０】
ここで、制御部１７のＣＰＵが実行する各処理について詳述する。
なお、制御部１７のＲＯＭには、各処理を実行するためのプログラムの他、各衛星，チャンネルについての情報が示された情報テーブルが格納されており、各処理は、この情報テーブルを参照して各種設定や制御を行うようにされている。
【００３１】
そして、情報テーブルには、図２に示すように、各衛星毎に、デジタル放送用のチャンネルのチャンネル番号、そのチャンネルを抽出する際に使用すべきローカル信号の周波数を表すＰＬＬデータＤｐ、復調された信号のシンボルレートＤｂ、デジタル放送が常時行われているプロモチャンネルのチャンネル番号等が記憶されている。また、ここでは、各衛星に衛星ＮＯ．が付与されており、本実施形態では、ＢＳＡＴにＮＯ．１、ＪＣＳＡＴ３号にＮＯ．２、ＪＣＳＡＴ４号のＮＯ．３が割り当てられている。
【００３２】
まず、操作部１５にて調整モードに設定され且つ測定対象としてＢＳＡＴが選択された場合（以下「ＢＳ調整モード」という）に実行する処理を図３に示すフローチャートに沿って説明する。
本処理が起動すると、まず当該装置の内部設定をクリアする（Ｓ１１０）。そして、操作部１５を介して設定された測定条件、即ち測定対象の衛星（ここではＢＳＡＴ）、及びチャンネルを読み込み（Ｓ１２０）、その読み込んだ測定条件とＲＯＭに格納された情報テーブルの内容とに従って設定したＰＬＬデータＤｐ及びシンボルレートＤｂを、チューナユニット１４に出力する（Ｓ１３０）。
【００３３】
すると、チューナユニット１４では、端子１１を介して入力されたＩＦ信号のうち、ＰＬＬデータＤｐに従って指定されたチャンネルの信号を選局した後復調し、その復調された信号を、シンボルレートＤｂに示された速度で復号し、ＴＳパケットを抽出する。
【００３４】
そして、このチューナユニット１４から復調された信号の信号レベルを読み込んで、Ｓ１２０にて読み込んだ測定条件（衛星名及びチャンネル等）と共に、その信号レベルを表示部１６に表示させ（Ｓ１４０）、これと共に、チューナユニット１４が出力する判別信号がオンされているか否か、即ち、ＴＳパケットの同期バイトが検出されたか否かを判断する（Ｓ１５０）。
【００３５】
この時、判別信号がオンされていれば、表示部１６の表示パネル上の識別マークを点灯し（Ｓ１６０）、一方、判別信号がオンされていなければ、表示部１６の表示パネル上の識別マークを消灯する（Ｓ１７０）。
その後、操作部１５が操作され、測定条件に変更があったか否かを判断し（Ｓ１８０）、変更がなければ、Ｓ１４０に戻って同じ条件で受信レベルの測定を繰り返し、変更があれば、Ｓ１１０に戻り、あらためて最初から本処理を実行する。
【００３６】
次に、操作部１５にて調整モードに設定され且つ測定対象としてＪＣＳＡＴ３号，４号が選択された場合（以下「ＣＳ調整モード」という）に実行する処理を図４に示すフローチャートに沿って説明する。
本処理が起動すると、まず当該装置の内部設定をクリアする（Ｓ２１０）。そして、操作部１５を介して設定された測定条件、即ち測定対象の衛星（ここではＪＣＳＡＴ３号，４号）、及びチャンネルを読み込み（Ｓ２２０）、いずれかの衛星（ここではＪＣＳＡＴ３号）を選択する衛星選択信号Ｓｓを電源供給部１３に出力することで、測定対象となる衛星を設定する（Ｓ２３０）。これと共に、Ｓ２２０にて読み込んだ測定条件、及びＳ２３０にて設定された測定対象の衛星と、ＲＯＭに格納された情報テーブルの内容とに従って、偏波選択信号Ｓｍ，ＰＬＬデータＤｐ，シンボルレートＤｂを設定し、これを電源供給部１３及びチューナユニット１４に出力する（Ｓ２４０）。
【００３７】
すると、電源供給部１３では、衛星選択信号Ｓｓ及び偏波選択信号Ｓｍに応じて、コンバータ２ｂへ供給する直流成分の設定（給電電圧の大きさ／トーン信号重畳の有無）を切り替え、また、チューナユニット１４では、端子１１を介して入力されたＩＦ信号のうち、ＰＬＬデータＤｐに従って指定されたチャンネルの信号を選局した後復調し、その復調された信号をシンボルレートＤｂに示された速度で復号し、ＴＳパケットを抽出する。
【００３８】
そして、このチューナユニット１４から復調された信号の信号レベルを読み込んで、選択された衛星名及びチャンネルと共に、その信号レベルを表示部１６に表示させ（Ｓ２５０）、これと共に、チューナユニット１４が出力する判別信号がオンされているか否か、即ち、ＴＳパケットの同期バイトが検出されたか否かを判断する（Ｓ２６０）。
【００３９】
この時、判別信号がオンされていれば、測定対象衛星の受信可フラグをセット（Ｓ２７０）した後、両衛星とも受信可フラグがセットされたか否かを判断し（Ｓ２８０）、両衛星とも受信可フラグがセットされていれば、識別マークを点灯する（Ｓ２９０）。
【００４０】
一方、Ｓ２６０にて、判別信号がオフされていると判定されるか、又はＳ２８０にて、いずれかの衛星の受信可フラグがセットされていないと判定された場合には、測定対象衛星の受信可フラグをリセットすると共に、識別マークが点灯していればこれを消灯する（Ｓ３００）。
【００４１】
Ｓ２９０又はＳ３００の後、現在選択されていない側の衛星を選択する衛星選択信号Ｓｓを電源供給部１３に出力することで、測定対象となる衛星の切り替えを行う。この時、所望の二つの衛星のチャンネル（トランスポンダ）配列が同一でない場合、チャンネル（トランスポンダ）の選局も行う（Ｓ３１０）。
【００４２】
その後、操作部１５が操作され、測定条件に変更があったか否かを判断し（Ｓ３２０）、変更がなければ、Ｓ２５０に戻って同じ条件で受信レベルの測定を繰り返し、変更があれば、Ｓ２１０に戻り、あらためて最初から本処理を実行する。
【００４３】
つまり、ＢＳ調整モード，ＣＳ調整モードにかかわらず、受信アンテナ２の向きを調整する場合には、受信アンテナ２からの伝送線を、レベルチェッカー１０の端子１１に接続し、操作部１５を介して、このレベルチェッカー１０の動作モードを調整モードに設定すると共に、測定対象衛星と、測定に使用するチャンネルとを入力する。
【００４４】
すると、表示部１６の表示パネルには、信号レベルが表示されるため、信号レベルがピークとなるように、受信アンテナ２の向きを調整すればよい。この時、受信アンテナ２が正しい向きに調整されていれば、衛星からの受信信号が復調，復号されＴＳパケットが抽出されるため、識別マークが点灯する。一方、受信アンテナ２が正しい衛星に調整されていなければ、信号レベルがピークとなっていても、受信信号からＴＳパケットが抽出されないため、識別マークは消灯したままとなる。
【００４５】
なお、ここでは、二つの衛星から受信する場合を例示したが、同様に３以上の衛星から受信し、全ての衛星が受信可能である時のみ、識別マークを表示することも考えられる。
次に、操作部１５にて確認モードに設定された場合に実行する処理を図５に示すフローチャートに沿って説明する。
【００４６】
本処理が起動すると、まず測定対象となる衛星を指定するためのパラメータｉを１に初期化する（Ｓ４１０）。
そして、ｉ＝１か否か（ここでは測定対象衛星がＢＳＡＴか否か）を判断し（Ｓ４２０）、測定対象衛星がＢＳＡＴではなく、ＪＣＳＡＴ３号又は４号であれば、ＲＯＭに格納された情報テーブルに基づいて測定対象衛星（ＮＯ．ｉの衛星）のプロモチャンネルを特定し、そのプロモチャンネルに応じた衛星選択信号Ｓｓ及び偏波選択信号Ｓｍを設定し、電源供給部１３に出力する（Ｓ４３０）。
【００４７】
また、ＲＯＭに格納された情報テーブルに基づき、測定対象衛星のプロモチャンネルについて測定が行われるように、ＰＬＬデータＤｐやシンボルレートＤｂを設定し、チューナユニット１４に出力する（Ｓ４４０）。
すると、チューナユニット１４では、端子１１を介して入力されたＩＦ信号のうち、ＰＬＬデータＤｐに従って指定されたチャンネルの信号を復調し、その復調された信号を、シンボルレートＤｂに示された速度で復号し、ＴＳパケット（同期バイト）を抽出する。
【００４８】
そして、このチューナユニット１４から復調された信号の信号レベルを読み込んで、その信号レベルを表示部１６に表示し（Ｓ４５０）、これと共に、チューナユニット１４が出力する判別信号がオンされているか否か、即ち、ＴＳパケットの同期バイトが検出されたか否かを判断する（Ｓ４６０）。
【００４９】
この時、判別信号がオンされていれば、測定対象衛星（ＮＯ．ｉの衛星）の受信可フラグをセットし（Ｓ４７０）、一方、判別信号がオンされていなければ、測定対象衛星の受信可フラグをリセットする（Ｓ４８０）。
その後、パラメータｉをインクリメントして（Ｓ４９０）、パラメータｉが３より大きいか否かを判断し（Ｓ５００）、大きければ、当該装置にて指定可能な全ての衛星について測定を終了したものとして、受信可フラグがセットされている全ての衛星を、表示部１６の表示パネル上に表示後（Ｓ５１０）、Ｓ４１０に戻る。但し、受信可フラグがセットされている衛星が一つもない場合には、その旨（例えば‘受信不可’）を表示する。
【００５０】
一方、パラメータｉが３以下であれば、操作部１５にて何等かのキー操作が行われたか否かを判断し（Ｓ５２０）、キー操作が行われていなければ、Ｓ４２０に戻って次の衛星について同様の測定を行い、また、キー操作が行われていれば、あらためて最初から本処理をやり直すために、Ｓ４１０に戻る。
【００５１】
つまり、宅内アンテナ端子等に、衛星デジタル放送の信号が配信されているか否か、またどの様な信号が配信されているかを確認する場合には、宅内アンテナ端子とレベルチェッカー１０の端子１１との間を伝送線で接続し、操作部１５を介して、このレベルチェッカー１０の動作モードを確認モードに設定する。
【００５２】
すると、レベルチェッカー１０は、全ての衛星について、デジタル放送が常時行われているプロモチャンネルの信号の信号レベルの測定及びＴＳパケットの抽出を試み、それぞれの信号レベルの表示と、ＴＳパケットの抽出に成功した衛星名の表示とを行う。つまり、宅内アンテナ端子までデジタル放送用の信号が配信されているか否かだけでなく、どの衛星からの信号が配信されているかが表示されることになる。
【００５３】
以上説明したように、本実施形態のレベルチェッカー１０によれば、調整モードでは、単に信号レベルを表示するだけでなく、受信信号からＴＳパケットを抽出できたか否かを識別マークにて表示するようにされている。
従って、受信アンテナ２の向きを調整する際には、指定した衛星以外の向きに誤って調整してしまうことを確実に防止でき、また、ＴＳパケットを抽出できたことが保証されているため、番組視聴用のチューナにて確認しなくても、確実にデジタル放送を視聴できる状態に受信アンテナ２の向きを調整できる。
【００５４】
即ち、他の衛星が同じＭＰＥＧ２方式のデジタル放送を行っていても、ＴＳパケットが抽出されるには、周波数（ＰＬＬデータＤｐ）やシンボルレートＤｂまで一致しなければならないため、これらが全て一致しない限り、識別マークが誤って点灯してしまうことがないのである。
【００５５】
また、本実施形態のレベルチェッカー１０によれば、確認モードでは、各衛星のプロモチャンネルを自動的にサーチし、ＴＳパケットの抽出に成功した衛星を全て表示するようにされている。
従って、衛星デジタル放送用の信号が配信されているか否かの確認や、どの衛星からの信号が配信されているかを確認するための作業を、極めて簡単に且つ確実に行うことができる。
【００５６】
以上本発明の一実施形態について説明したが、本発明は上記実施形態に限定されるものではなく、様々な態様にて実施することが可能である。
例えば、上記実施形態では、調整モードの時に、衛星及びチャンネルを指定して測定を行うようにされているが、衛星のみを指定すると、チャンネルは自動サーチされるように構成してもよい。
【００５７】
この場合、例えばＢＳ調整モードでは、図６に示すように、Ｓ１３０の後に、判別信号がオンであるか否かを判定するステップ（Ｓ１３２）を挿入し、判別信号がオンしていれば、Ｓ１４０に進み、判別信号がオンしていなければ、チャンネルを変更して（Ｓ１３４）、Ｓ１３０に戻り、判別信号がオンするチャンネルを自動サーチするように構成すればよい。なお、チャンネルを切り替える順番は、例えば情報テーブルに登録されている順番で行ってもよいし、別途登録したサーチ順に行ってもよい。
【００５８】
また、ＣＳ調整モードや確認モードの場合も、Ｓ２４０やＳ４４０の後ろに、それぞれＳ１３２，Ｓ１３４と同様のステップを挿入すれば、チャンネルを自動サーチするように構成することができる。
また、上記実施形態では、情報テーブルをＲＯＭに格納しているが、これを不揮発性ＲＡＭやＥＥＰＲＯＭ等、書換可能なメモリに格納し、プロモチャンネルやデジタル放送用のチャンネルに変更があった場合に、容易に対応できるように構成してもよい。
【００５９】
更に、上記実施形態では、レベルチェッカー１０を、受信アンテナ２の向きの調整や、宅内アンテナ端子に配信されているデジタル放送用信号の確認のために使用する場合を例にして説明したが、このレベルチェッカー１０は、例えば、地上波デジタル放送やＢＳデジタル放送の信号を受信して、ＣＡＴＶシステムに合わせた信号に再変調するトランスモジュレーションシステム等、ＭＰＥＧ方式を適用した信号を使用するシステムであれば、どのようなシステムでも使用することが可能である。
【図面の簡単な説明】
【図１】実施形態のレベルチェッカーの構成を示すブロック図である。
【図２】情報テーブルの内容を示す説明図である。
【図３】ＢＳ調整モードにて実行する処理の内容を示すフローチャートである。
【図４】ＣＳ調整モードにて実行する処理の内容を示すフローチャートである。
【図５】確認モードにて実行する処理の内容を示すフローチャートである。
【図６】ＢＳ調整モードにて実行する処理の変形例である。
【符号の説明】
２…受信アンテナ、２ａ…反射鏡、２ｂ…コンバータ、１０…レベルチェッカー、１１…端子、１２…電源分離フィルタ、１３…電源供給部、１４…チューナユニット、１５…操作部、１６…表示部、１７…制御部、Ｌ…伝送線、Ｄｂ…シンボルレート、Ｄｐ…ＰＬＬデータ、Ｓｍ…偏波選択信号、Ｓｓ…衛星選択信号。
【図１】
2004007074.tif 000003
【図２】
2004007074.tif 000004
【図３】
2004007074.tif 000005
【図４】
2004007074.tif 000006
【図５】
2004007074.tif 000007
【図６】
2004007074.tif 000008